(57)【要約】      （修正有）【課題】逆流防止の機能を有する上、液体の汲取り量を高めることができる、逆流防止ポンプを提供する。【解決手段】ピストンロッド５０は、ピストン６０に挿設されてスリーブ４０に接続され、ピストンを支え、バルブ８０を有する本体７０内で往復運動する。ピストンロッド５０の外表面には、複数の直溝５１が形成される。本体において、バルブ８０からピストン６０に至る容積が拡張すると、ピストンが直溝を閉止し、液体が直溝に流入することを防ぎ、本体において、バルブからピストンに至る容積が縮減すると、直溝が開放され、液体が案内されてスリーブ４０から流出される。【選択図】図９
0003216677.tif 000002
【実用新案登録請求の範囲】
【請求項１】
ピストンロッド（５０）は、ピストン（６０）に挿設されてスリーブ（４０）に接続され、前記ピストン（６０）を支え、バルブ（８０）を有する本体（７０）内で往復運動し、前記ピストンロッド（５０）の外表面に複数の直溝（５１）が形成され、
前記本体（７０）が前記バルブ（８０）から前記ピストン（６０）に至る容積が拡張すると、前記ピストン（６０）が前記直溝（５１）を閉止し、液体が前記直溝（５１）に流入することを防ぎ、前記本体（７０）が前記バルブ（８０）から前記ピストン（６０）に至る容積が縮減すると、前記直溝（５１）が開放され、液体が案内されて前記スリーブ（４０）から流出されることを特徴とする逆流防止ポンプ。
【請求項２】
中実の前記ピストンロッド（５０）は、複数の隔離ブロック（５３）を有し、
前記隔離ブロック（５３）は、前記ピストンロッド（５０）の外表面に間隔をおいて設けた前記直溝（５１）をそれぞれ有することを特徴とする請求項１に記載の逆流防止ポンプ。
【請求項３】
前記隔離ブロック（５３）は、前記ピストンロッド（５０）の端面より高いか、前記ピストンロッド（５０）の端面に等しいか、前記ピストンロッド（５０）の端面より低いことを特徴とする請求項２に記載の逆流防止ポンプ。
【請求項４】
前記スリーブ（４０）の内側には、前記直溝（５１）と連通する引き込み部（４４）が設けられていることを特徴とする請求項３に記載の逆流防止ポンプ。
【請求項５】
前記スリーブ（４０）の内側には、複数の支持バー（４０２）が設けられ、
前記支持バー（４０２）は、前記スリーブ（４０）の内側中央部でストッパー（４０３）をそれぞれ支え、
前記ストッパー（４０３）及び前記スリーブ（４０）の内側には、前記直溝（５１）と連通する環状空間（４０４）が周りを取り囲むように形成されていることを特徴とする請求項３に記載の逆流防止ポンプ。
【考案の詳細な説明】
【技術分野】
【０００１】
本考案は、液体の汲取り技術に関し、特に、逆流防止ポンプに関する。
【背景技術】
【０００２】
市販されているポンプは、瓶、缶などのような容器に取り付けられ、押下すると容器内に貯えられた液体（例えば乳液）を汲取り、皮膚のケア、シャワー、洗浄、消毒などの作業を行うことができる。
【０００３】
従来の液体押出ポンプ（例えば、特許文献１）は、リング状逆止弁により流体が漏れることを防いでいた。このような逆止弁は、丸枠を有し、丸枠内には、弁体が設けられる。弁体と丸枠とは弾性の接続関係にあり、支持弁体は、本体の縮径部を閉塞する。
【０００４】
弁体が丸い平板であるため、弁体と縮径部とが平行でなければ、閉塞作用は得られなかった。しかし、流体度が濃厚である場合、弁体が縮径部を閉塞する時間が遅れ、容器から流体が漏れ出てしまう欠点があった。
【０００５】
ポンプの逆流防止構造を改善するために、本考案者は新たなポンプを開発して多数の国家で特許権を取得している（例えば、特許文献２、特許文献３）。
【先行技術文献】
【特許文献】
【０００６】
【特許文献１】台湾実用新案公告第Ｍ３７１７８９号公報
【特許文献２】台湾実用新案公告第Ｍ５４２６９７号公報
【特許文献３】中国実用新案公告第２０６４２７４８２号公報
【考案の概要】
【考案が解決しようとする課題】
【０００７】
こうした現状に鑑み、本考案者は鋭意研究を重ねた結果、従来のポンプの構造の一部を改善し、逆流防止、導流などの機能の他、液体の汲取り量を増やす機能を有する、本考案を完成させたものである。
【０００８】
本考案の目的は、逆流防止の機能を有する上、液体の汲取り量を高めることができる、逆流防止ポンプを提供することにある。
【課題を解決するための手段】
【０００９】
上記課題を解決するために、本考案の第１の形態によれば、ピストンロッド（５０）は、ピストン（６０）に挿設されてスリーブ（４０）に接続され、前記ピストン（６０）を支え、バルブ（８０）を有する本体（７０）内で往復運動し、前記ピストンロッド（５０）の外表面に複数の直溝（５１）が形成され、前記本体（７０）が前記バルブ（８０）から前記ピストン（６０）に至る容積が拡張すると、前記ピストン（６０）が前記直溝（５１）を閉止し、液体が前記直溝（５１）に流入することを防ぎ、前記本体（７０）が前記バルブ（８０）から前記ピストン（６０）に至る容積が縮減すると、前記直溝（５１）が開放され、液体が案内されて前記スリーブ（４０）から流出されることを特徴とする逆流防止ポンプが提供される。
【００１０】
中実の前記ピストンロッド（５０）は、複数の隔離ブロック（５３）を有し、前記隔離ブロック（５３）は、前記ピストンロッド（５０）の外表面に間隔をおいて設けた前記直溝（５１）をそれぞれ有することが好ましい。
【００１１】
前記隔離ブロック（５３）は、前記ピストンロッド（５０）の端面より高いか、前記ピストンロッド（５０）の端面に等しいか、前記ピストンロッド（５０）の端面より低いことが好ましい。
【００１２】
前記スリーブ（４０）の内側には、前記直溝（５１）と連通する引き込み部（４４）が設けられていることが好ましい。
【００１３】
前記スリーブ（４０）の内側には、複数の支持バー（４０２）が設けられ、前記支持バー（４０２）は、前記スリーブ（４０）の内側中央部でストッパー（４０３）をそれぞれ支え、前記ストッパー（４０３）及び前記スリーブ（４０）の内側には、前記直溝（５１）と連通する環状空間（４０４）が周りを取り囲むように形成されていることが好ましい。
【考案の効果】
【００１４】
本考案の逆流防止ポンプは、逆流防止の機能を有する上、液体の汲取り量を高めることができる。
【図面の簡単な説明】
【００１５】
【図１】図１は、本考案の第１実施形態に係る逆流防止ポンプのノズルヘッドとカバーとが分離された状態を示す分解断面図である。
【図２】図２は、本考案の第１実施形態に係る逆流防止ポンプを示す分解断面図である。
【図３】図３は、ポンプの一部の部材がノズルヘッドに接続された状態を示す断面図である。
【図４】図４は、ピストンロッドを示す拡大断面図である。
【図５】図５は、図４の線Ａ−Ａに沿った断面図である。
【図６】図６は、ポンプの他の部分がカバーに接続された状態を示す断面図である。
【図７】図７は、本考案の第１実施形態に係る逆流防止ポンプを示す平面図である。
【図８】図８は、本考案の第１実施形態に係る逆流防止ポンプにノズルヘッド及びカバーを組み合わせたときの連続動作状態を示す説明図（１）である。
【図９】図９は、本考案の第１実施形態に係る逆流防止ポンプにノズルヘッド及びカバーを組み合わせたときの連続動作状態を示す説明図（２）である。
【図１０】図１０は、本考案の第２実施形態に係る逆流防止ポンプを示す部分断面図である。
【図１１】図１１は、図１０の線Ｂ−Ｂに沿った断面図である。
【図１２】図１２は、本考案の第２実施形態に係る逆流防止ポンプのピストンロッドを示す拡大断面図である。
【図１３】図１３は、図１２の線Ｃ−Ｃに沿った断面図である。
【図１４】図１４は、本考案の第３実施形態に係る逆流防止ポンプのピストンロッドを示す拡大断面図である。
【図１５】図１５は、図１４の線Ｄ−Ｄに沿った断面図である。
【図１６】図１６は、本考案の第３実施形態に係る逆流防止ポンプを示す部分断面図である。
【考案を実施するための形態】
【００１６】
（第１実施形態）
図１〜図７を参照する。図１〜図７に示すように、本考案の第１実施形態に係る逆流防止ポンプは、ポンプ３０を含む。ポンプ３０には、ノズルヘッド１０、カバー２０、弾性体３２及び吸入管３４が結合され、容器（図示せず）に共に配置される。
【００１７】
上述したノズルヘッド１０は、流路１２を有する。流路１２は、ノズルヘッド１０内に設けた内端１４と、ノズルヘッド１０の外部に連通する外端１６と、を有する。
【００１８】
上述したカバー２０は、内側に雌ねじ部２２が設けられ、容器に設けられた雄ねじ部（図示せず）が雌ねじ部２２に締め付けられ、容器の開口をカバー２０により閉止し、リング状のパッド２７を共に挟持する。内管２６及び環状壁２８は、カバー２０の頂部２４から突出され、内管２６の内側には、複数の直リブ２５が軸方向に形成される。環状壁２８は、内管２６を取り囲むようにその外周に設けられ、両者間には係合構造２１が設けられる。ここで係合構造２１は、内管２６を取り囲むようにその外周に設けられるとともに、係合又は掛止の機能を有する壁である。壁と内管２６とは、リング状のばね槽２３により離間されている。
【００１９】
上述したポンプ３０は、可動構造と固定構造とにより構成される。可動構造に関しては、１本のピストンロッド５０がピストン６０に挿通されてスリーブ４０に接続される。スリーブ４０は、流路１２の内端１４に接続され、全体の可動構造は、ノズルヘッド１０と同期で動作する。固定構造に関しては、バルブ８０が本体７０内に結合される。本体７０は、カバー２０の係合構造２１に固定され、可動構造は、内管２６から突出した部分（例えば、スリーブ４０の一部、ピストンロッド５０の一部、ピストン６０の全体）を受ける。
【００２０】
詳細な構造を述べると、上述したスリーブ４０から外方へ力受容部４２が延びる。力受容部４２が対向するばね槽２３の開口には、弾性体３２が収容される。第１実施形態の弾性体３２は圧縮ばねである。圧縮ばねは、力受容部４２とばね槽２３との間に配置され、ノズルヘッド１０をカバー２０から離すのに必要な作用力を付与する。
【００２１】
スリーブ４０は、内部が中空状であり、ノズルヘッド１０の流路１２と連通する。引き込み部４４及び内拡部４６は、スリーブ４０の内側に形成される。上述した内拡部４６は、スリーブ４０においてノズルヘッド１０から遠い方の端部の直径がスリーブ４０内の直径４１又は引き込み部４４の直径より大きい。引き込み部４４の直径は最小であり、内拡部４６との間には、スリーブ４０の内壁に形成された３つの内円環リブ４８が形成されている。
【００２２】
ピストンロッド５０は中実状であり、その２つの端部には、テーパ部５４及び短手部５６がそれぞれ設けられる。テーパ部５４は、狭幅端がノズルヘッド１０に向かい、拡幅端が短手部５６と一体化される。上述した短手部５６の直径は、テーパ部５４の拡幅端の直径より大きく、短手部５６の周囲には複数の切欠き５８が形成される。また、４つの隔離ブロック５３は、ピストンロッド５０の外表面から突出される。ピストンロッド５０の外表面には、複数の直溝５１が間隔をあけて形成される。上述した隔離ブロック５３には、複数の外リブ５２が突出される。各外リブ５２を内円環リブ４８に係合させると、ピストンロッド５０がスリーブ４０から容易に外れることを防ぐことができる。各隔離ブロック５３は、テーパ部５４からピストンロッド５０の端部へ向かって延びるとともに、ピストンロッド５０の端面から一定の長さで突出する。隔離ブロック５３が引き込み部４４の周囲の壁面に当接されると、直溝５１は、引き込み部４４からノズルヘッド１０に至る流路１２と流通可能である。
【００２３】
ピストン６０は、高分子重合体（例えば、プラスチック、ゴム又は弾性材料）からなる。ピストン６０は、長筒６２及び円弧状プレート６４と一体射出成形されてもよい。上述した長筒６２は、ピストンロッド５０に外嵌され、ピストンロッド５０の軸方向で往復運動可能である。長筒６２は、第１の端部６６及び第２の端部６８を有し、第１の端部６６は、スリーブ４０が取り囲む内拡部４６の壁面に摩擦される。第２の端部６８の直径は、テーパ部５４の拡幅端の直径より小さい。また、円弧状プレート６４を本体７０の内壁に接触させ、ピストン６０により本体７０の容積を圧縮させるか拡張させると、汲取り又は排出を行うことができる。
【００２４】
上述した本体７０は、管状体であり、その両端間には異なる直径のセクションが形成され、直径の寸法に応じて収納部７１、作動部７２、バルブ部７３及び結合部７４に区分される。収納部７１は、外側面が係合構造２１に係合又は掛合され、内側面がばね槽２３、内管２６、スリーブ４０及びピストンロッド５０の空間を取り囲み、内管２６の端部は、収納部７１と作動部７２とが隣接した箇所に位置し、ピストン６０の円弧状プレート６４にストッパー作用を発生させ、ノズルヘッド１０がカバー２０に対して移動する高さが制限されると、円弧状プレート６４は、作動部７２の壁面に形成された小孔７７を閉止し、ノズルヘッド１０が弾性体３２によりカバー２０が押し離されることを防ぐことができる（図９を参照する）。上述したバルブ部７３は、一端が作動部７２と連通し、他端が縮減部７５に成形される。縮減部７５は、貫通孔７６が吸入管３４の結合部７４に連通するように嵌着されると、バルブ部７３に配設されたバルブ８０が閉止される。
【００２５】
上述したバルブ８０は、３つの弾力バー８２を有する。各弾力バー８２は、折り曲げられ、一端が円環部８４の内側に接続され、他端が円柱８６の外表面に接続される。常態下では、円環部８４の中央部で円柱８６が支えられ、縮減部７５の貫通孔７６が閉止される。勿論、弾力バー８２は、円柱８６を支えて、軸心方向で円環部８４に対して往復移動する。円環部８４の外側には、周りを取り囲むように係合部８１が設けられる。係合部８１は、バルブ部７３の壁に掛止され、バルブ８０が本体７０中に固定されるように制限される。また、円環部８４と円柱８６との間は、弾力バー８２により離間されて３つの空隙部８８が形成される。
【００２６】
図２及び図８を参照する。図２及び図８に示すように、ノズルヘッド１０は、外力を受けるとカバー２０へ向かって変位し、短手部５６が作動部７２に隣接したバルブ部７３の壁面に当接されるまで、スリーブ４０及びピストンロッド５０が本体７０中で同じ方向へ移動される。ピストン６０がスリーブ４０により押動され、円弧状プレート６４が作動部７２の小孔７７を閉止しなくなる上、作動部７２のバルブ部７３に近い容積を減らすとともに、作動部７２が収納部７１に近接された容積が拡張される。勿論、弾性体３２は、力受容部４２により押圧されると変形する。
【００２７】
容積の縮減に関しては、縮減部７５の貫通孔７６が円柱８６により閉止されるため、ピストン６０により本体７０の液体が矢印３６の方向で短手部５６の切欠き５８を通過して直溝５１に流入し、スリーブ４０の引き込み部４４を介して流路１２に進入し、ノズルヘッド１０の外に流出される。このとき、長筒６２の第１の端部６６は、依然としてスリーブ４０の周りに設けられた内拡部４６の壁面と摩擦し、液体の漏れ防止の第１の関門が構成される。また、内拡部４６の開口がピストン６０（又は長筒６２の外側面）により閉止され、液体の漏れ防止の第２の関門が構成される。
【００２８】
容積の拡張に関しては、外部の気体がピストン６０により、ノズルヘッド１０とカバー２０との間の間隙に吸入され、内管２６とスリーブ４０との間の狭窄空間（図示せず）が直リブ２５により離間されて作動部７２中に流入され、小孔７７を介して容器（図示せず）に進入し、内部の圧力を補充し、容器が収縮したり変形したりすることを防ぐ。
【００２９】
図２及び図９を参照する。図２及び図９に示すように、外力が失われると、弾性体３２が元の位置に戻り、カバー２０から離れるようにノズルヘッド１０を押動し、テーパ部５４（図４を参照する）の斜面が長筒６２の第２の端部６８を閉止するまで、スリーブ４０及びピストンロッド５０が本体７０中で同じ方向へ移動し、液体が逆流したり溢れ出たりすることを防ぐことができる上、ピストン６０がピストンロッド５０と同期で作動し、円弧状プレート６４が内管２６に当接されると、作動部７２の小孔７７が閉止される。反対に、ピストン６０は、作動部７２に隣接した収納部７１の容積を縮減すると、作動部７２に隣接したバルブ部７３の容積が増大する。
【００３０】
容積の縮減に関しては、ピストン６０が作動部７２の気体を押圧し、直リブ２５（図１又は図６を参照する）により内管２６とスリーブ４０との狭窄空間（図示せず）を広げてノズルヘッド１０とカバー２０との間隙に流入し、カバー２０の外側へ排出させ、容器（図示せず）の内部を密閉した状態に保つ。
【００３１】
容積の拡張に関しては、ピストン６０がバルブ８０に対して吸引力を発生させると、円柱８６により貫通孔７６が閉塞されなくなる。当該容器（図示せず）の液体がピストン６０により吸入管３４中に吸入されると、矢印３８の方向で縮減部７５とバルブ８０との空隙部８８を介し、バルブ部７３へ向かって作動部７２を充填すると、内部空間が次第に拡張し、次回の使用を待機する。
【００３２】
（第２実施形態）
図１０〜図１３を参照する。図１０〜図１３に示すように、本考案の第２実施形態に係る逆流防止ポンプは、第１実施形態と略同じであるが、スリーブ４０１には引き込み部が設けられていない上、ストッパー４０３が増設され、ストッパー４０３及びスリーブ４０１の内側には、環状空間４０４が取り囲むように形成され、３本の支持バー４０２は、ストッパー４０３をスリーブ４０１の中央部に接続する点で異なる。
【００３３】
次に、隔離ブロック５３及びピストンロッド５０の端面は同じ高さで揃う。実際に組み立てるとき、ピストンロッド５０の端面は、ストッパー４０３に当接される。隔離ブロック５３は、支持バー４０２に接触されるとともに、支持バー４０２は直溝５１を完全に閉塞しないため、直溝５１と環状空間４０４とが連通する。
【００３４】
（第３実施形態）
図１４〜図１６を参照する。図１４〜図１６に示すように、本考案の第３実施形態に係る逆流防止ポンプは、第２実施形態と略同じであるが、ピストンロッド５０の端面が隔離ブロック５３の端面を超え、ピストンロッド５０がスリーブ４０１と組み合わされると、ストッパー４０３がピストンロッド５０の端面に当接され、直溝５１と環状空間４０４との連通が保持される点で異なる。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１０  ノズルヘッド
１２  流路
１４  内端
１６  外端
２０  カバー
２１  係合構造
２２  雌ねじ部
２３  ばね槽
２４  頂部
２５  直リブ
２６  内管
２７  パッド
２８  環状壁
３０  ポンプ
３２  弾性体
３４  吸入管
３６  矢印
３８  矢印
４０  スリーブ
４１  直径
４２  力受容部
４４  引き込み部
４６  内拡部
４８  内円環リブ
５０  ピストンロッド
５１  直溝
５２  外リブ
５３  隔離ブロック
５４  テーパ部
５６  短手部
５８  切欠き
６０  ピストン
６２  長筒
６４  円弧状プレート
６６  第１の端部
６８  第２の端部
７０  本体
７１  収納部
７２  作動部
７３  バルブ部
７４  結合部
７５  縮減部
７６  貫通孔
７７  小孔
８０  バルブ
８１  係合部
８２  弾力バー
８４  円環部
８６  円柱
８８  空隙部
３０１  ポンプ
４０１  スリーブ
４０２  支持バー
４０３  ストッパー
４０４  環状空間
【図１】
0003216677.tif 000003
【図２】
0003216677.tif 000004
【図３】
0003216677.tif 000005
【図４】
0003216677.tif 000006
【図５】
0003216677.tif 000007
【図６】
0003216677.tif 000008
【図７】
0003216677.tif 000009
【図８】
0003216677.tif 000010
【図９】
0003216677.tif 000011
【図１０】
0003216677.tif 000012
【図１１】
0003216677.tif 000013
【図１２】
0003216677.tif 000014
【図１３】
0003216677.tif 000015
【図１４】
0003216677.tif 000016
【図１５】
0003216677.tif 000017
【図１６】
0003216677.tif 000018